(57)【要約】【課題】  ２つの種類のカードを空間効率的に装着できるカード装着ソケットを提供する。【解決手段】  本発明に係る携帯電話機のカード装着ソケット１は，携帯電話機と電気的に接続可能に設置されたソケットハウジング１０と，ソケットハウジング１０の一側面に形成され，第１カード４を装着する第１カード挿入口２１が携帯電話機２の裏面側の，バッテリー３が分離されたときに露出する位置に形成される第１カード装着スロット２０と，ソケットハウジング１０の他側面に形成され，第２カード５を装着する第２カード挿入口３１が携帯電話機の側面に露出される第２カード装着スロッ３０とを備える。第１カード装着スロット２０と第２カード装着スロット３０とは，ソケットハウジン１０を間に挟んで積層されることを特徴とする。【選択図】    図１
2007013601.tif 000002
【特許請求の範囲】
【請求項１】
携帯電話機と電気的に接続可能に設置されたソケットハウジングと；
前記ソケットハウジングの一側面に形成されて第１カードを装着する第１カード挿入口が，前記携帯電話機の裏面側に形成され，バッテリーが分離されたときに露出する第１カード装着スロットと；
前記ソケットハウジングの他側面に形成されて第２カードを装着する第２カード挿入口が，前記携帯電話機の側面に露出される第２カード装着スロットと；
を備え，
前記第１カード装着スロットと前記第２カード装着スロットとは，前記ソケットハウジングを間に挟んで積層されることを特徴とする，携帯電話機のカード装着ソケット。
【請求項２】
前記第１カード装着スロットの前記第１カード挿入口と，前記第２カード装着スロットの前記第２カード挿入口とは，対向して形成され，
前記第１カードと前記第２カードとは，それぞれ同一方向に着脱されることを特徴とする，請求項１に記載の携帯電話機のカード装着ソケット。
【請求項３】
前記第１カード装着スロットの前記第１カード挿入口と，前記第２カード装着スロットの前記第２カード挿入口とは，互いに直交する方向に形成され，
前記第１カードは，第１の方向に着脱され，
前記第２カードは，前記第１の方向と直交する第２の方向に着脱されることを特徴とする，請求項１に記載の携帯電話機用カード装着ソケット。
【請求項４】
前記バッテリーには，前記第２カード装着スロットの前記第２カード挿入口に対応する位置にカバーが形成され，
前記バッテリーが前記携帯電話機に装着されたとき，前記カバーは前記第２カード装着スロットの前記第２カード挿入口を閉鎖することを特徴とする，請求項１に記載の携帯電話機のカード装着ソケット。
【発明の詳細な説明】
【技術分野】
【０００１】
本発明は，携帯電話機に関し，より詳しくは，携帯電話機のカード装着ソケットに関する。
【背景技術】
【０００２】
周知のように，貯蔵機能，演算機能およびセキュリティ（ｓｅｃｕｒｉｔｙ）機能を有するマイクロプロセッサや，運営体系，保安モジュール，メモリなどを具備したチップが装着されているスマートカードは，金融，通信，教育，行政，交通など情報通信社会のほとんどの分野で情報の記録または身元確認，電子マネー，クレジットカードまたは電子通帳などの決済手段として広く使われている。スマートカードは，データが読み込まれる方式によって，接触式カード，非接触式カードおよび接触／非接触兼用カード（例，コンビカード）に区分される。
【０００３】
最近，携帯電話機として代表される移動通信端末機の活用分野がより一層拡大されている。これにより，スマートカードを，従来のプラスチックカードの形態でない携帯電話機に内蔵または着脱式に装着させて，スマートカードと携帯電話機とを機能的に統合させている。
【０００４】
スマートカードと携帯電話機とを結合させた例としては，図７に示すように，携帯電話機１００の後面または側面に設けられたカード装着ソケット１０１に，スマートカード（例えば，コンビカード）１１０を装着した例を挙げることができる。なお，符号１０２はバッテリーである。
【０００５】
このようなスマートカード装着携帯電話機は，装着されたスマートカードの機能によって，交通カード（電子マネー）やクレジットカードの機能を有しながら，口座照会，振込み，引き出し，小切手照会のような電子通帳としての機能も有することができる。
【０００６】
スマートカードと携帯電話機との統合は，携帯電話機のローミングサービスを提供するために，スマートカードを加入者確認モジュールで使用する場合にも適用されている。加入者確認モジュールとしてのスマートカードは，例えばＳＩＭ（Ｓｕｂｓｃｒｉｂｅｒ  Ｉｄｅｎｔｉｔｙ  Ｍｏｄｕｌｅ）カード，ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ），ＵＩＭ（Ｕｓｅｒ  Ｉｄｅｎｔｉｔｙ  Ｍｏｄｕｌｅ）カード，ＲＵＩＭ（Ｒｅｍｏｖａｂｌｅ  Ｕｓｅｒ  Ｉｄｅｎｔｉｔｙ  Ｍｏｄｕｌｅ）カードなどがある。
【０００７】
一方，携帯電話機の機能が多様化し，拡大されることによって要求されるデータ貯蔵容量はますます増加する傾向にある。例えば，画像を撮影および貯蔵することのできるデジタルカメラを備えた携帯電話機の場合，携帯電話機固有の貯蔵用量に加えて，撮影した写真データを保存するための追加のメモリが必要となる。
【０００８】
しかし，このような付加的機能に所要される大容量のメモリのために，携帯電話機の本体内に大容量のメモリを内蔵することは，端末機のコストを上昇させる要因になるばかりでなく，大容量メモリを使用しない使用者には不要な要素となる。
【０００９】
このような理由で，携帯電話機に大容量メモリを直接内蔵せず，携帯電話機に別途にメモリーカード装着ソケットを設けて，使用者の携帯電話機の使用様態によって別途の拡張メモリーカードを選択的に装着して使用するシステムが駆逐されている。
【００１０】
メモリーカードの形態は多様である。主にフラッシュメモリを利用したカードの形態になっており，例えばセキュアデジタルカード（Ｓｅｃｕｒｅ  Ｄｉｇｉｔａｌ  Ｃａｒｄ：ＳＤカード），メモリスティック（Ｍｅｍｏｒｙ  Ｓｔｉｃｋ：ＭＳカード），スマートメディアカード（Ｓｍａｒｔ  Ｍｅｄｉａ（登録商標）  Ｃａｒｄ：ＳＭカード），コンパックフラッシュカード（Ｃｏｍｐａｃｔ  Ｆｌａｓｈ  Ｃａｒｄ：ＣＦカード），マルチメディアカード（Ｍｕｌｔｉ  Ｍｅｄｉａ  Ｃａｒｄ：ＭＭカード）などに標準化されている。
【００１１】
すなわち，携帯電話機の機能が更に拡大され多様化することによって，携帯電話機にはスマートカードの着脱のためのスマートカード装着ソケットとメモリーカードの着脱のためのメモリーカード装着ソケットが必要となった。このため，使用者は，自分が求める機能に合うカードを該当カード装着ソケットに装着して使用するようになった。
【００１２】
しかし，携帯電話機に異なる２つのカード装着ソケット（例えば，スマートカード用およびメモリーカード用）を設けることは，同じ機能を遂行するのであれば小型化を好むという携帯電話機の設計に望ましくない。また，製造コストを上昇させる要因ともなる。
【００１３】
２つのカード装着ソケット形成にともなう小型化の難しさと製造原価上昇を考慮すると，１つのカード装着ソケットのみ形成して，スマートカードとメモリーカードとを選択的に交換装着することが考えられる。しかし，カード装着ソケットをスマートカードとメモリーカードとを交換して装着できるように形成することは，スマートカードとメモリーカードとのいずれか１つを選択的に使用できるのみであり，両方を同時に使用することはできない。
【発明の開示】
【発明が解決しようとする課題】
【００１４】
そこで，本発明は，このような問題に鑑みてなされたもので，その目的は，２つの種類のカードを空間効率的に装着できる，新規かつ改良されたカード装着ソケットを提供することにある。
【課題を解決するための手段】
【００１５】
上記課題を解決するために，本発明のある観点によれば，携帯電話機と電気的に接続可能に設置されたソケットハウジングと；ソケットハウジングの一側面に形成されて第１カードを装着する第１カード挿入口が，携帯電話機の裏面側に形成され，バッテリーが分離されたときに露出する第１カード装着スロットと；ソケットハウジングの他側面に形成されて第２カードを装着する第２カード挿入口が，携帯電話機の側面側に露出される第２カード装着スロットと；を備える携帯電話機のカード装着ソケットが提供される。第１カード装着スロットと第２カード装着スロットとは，ソケットハウジングを間に挟んで積層される。
【００１６】
ここで，第１カード装着スロットの第１カード挿入口と，第２カード装着スロットの第２カード挿入口とは，対向して形成されてもよい。すなわち，第１カードと第２カードとがそれぞれ同一方向に着脱されるように，第１カード装着スロットの第１カード挿入口と，第２カード装着スロットの第２カード挿入口を形成することができる。
【００１７】
また，第１カード装着スロットの第１カード挿入口と，第２カード装着スロットの第２カード挿入口とは，互いに直交する方向に形成されてもよい。すなわち，第１カードは，第１の方向に着脱され，第２カードは，第１の方向と直交する第２の方向に着脱されるように，第１カード装着スロットの第１カード挿入口と，第２カード装着スロットの第２カード挿入口を形成することができる。
【００１８】
一方，バッテリーには，第２カード装着スロットの第２カード挿入口に対応する位置にカバーが形成されてもよい。かかるカバーにより，バッテリーが携帯電話機に装着されたとき，第２カード装着スロットの第２カード挿入口を閉鎖することができる。
【００１９】
かかる構成により，２つのカードを限られた空間内で効率的に配置することができる。これにより，携帯電話機のサイズを縮小することが可能となり，製造原価を抑えることができる。
【発明の効果】
【００２０】
以上説明したように本発明によれば，２つの種類のカードを空間効率的に装着できる，カード装着ソケットを提供することができる。
【発明を実施するための最良の形態】
【００２１】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２２】
（第１の実施形態）
まず，本発明の第１の実施形態にかかる携帯電話機のカード装着ソケットについて説明する。
【００２３】
図１〜図６に示すように，本実施形態にかかる携帯電話機のカード装着ソケット１は，携帯電話機２に設置され，ただ一つのソケットに２つの種類のカード（例えば，スマートカードとメモリーカード）を全部装着できるようにするためのソケットである。
【００２４】
図１に示すように，本実施形態にかかる携帯電話機カード装着ソケット１は，１つのソケットハウジング１０に，第１カード装着スロット２０と第２カード装着スロット３０とを備える。
【００２５】
カード装着ソケット１は，図４に示すように，バッテリー３が装着される携帯電話機２の裏面２Ａに設置される。これにより，携帯電話機２の回路に電気的に接続される。
【００２６】
ソケットハウジング１０には，図１または図４に示すように，第１カード装着スロット２０に装着された第１カード４（例えば，スマートカード）の端子に対応する端子１１と，第２カード装着スロット３０に装着された第２カード５（例えば，メモリーカード）の端子に対応する端子１２，が各々設けている。これらのカード４，５を該当スロット２０，３０に装着すると，カード４，５は，携帯電話機２の回路に電気的に連結される。
【００２７】
第１カード装着スロット２０は，例えばソケットハウジング１０の一側面に形成することができる。また，第２カード装着スロット３０は，ソケットハウジング１０の他側面に形成される。第２カード装着スロット３０は，ソケットハウジング１０を間に置いて，第１カード装着スロット２０と積層されるように配設される。
【００２８】
すなわち，図１〜図３に示すように，バッテリー３が接する面であるソケットハウジング１０の上面（図３の上側の面）には，第１カード装着スロット２０が形成される。その反対側であるソケットハウジング１０の裏面（図３の下側の面）には，第２カード装着スロット３０が形成される。
【００２９】
第１カード装着スロット２０には，第１カード４を装着するカード挿入口２１が形成される。このカード挿入口２１は，携帯電話機２の裏面２Ａ側に形成されており，バッテリー３を分離しなければ露出しないようにされている。したがって，第１カード４は，携帯電話機２からバッテリー３を分離した後に，カード挿入口２１に対して挿入または取出しすることによって，第１カード装着スロット２０に着脱（装着および離脱）させることができる。すなわち，バッテリー３を分離しなければ第１カード４を着脱することができない。
【００３０】
このように，第１カード用カード挿入口２１をバッテリー３によって露出遮断することにより，例えば各種金融情報が内蔵されたスマートカードなどの第１カード４を，携帯電話機により安全に携帯することができる。なお，図１に示す第１カード装着スロット２０の上側にあるカバー２２は，装着した第１カード４を保護する保護カバーである。
【００３１】
一方，第２カード装着スロット３０には，第２カード５を装着する第２カード用カード挿入口３１が形成されている。この第２カード用カード挿入口３１は，携帯電話機２の側面２Ｂ側に露出されている。
【００３２】
したがって，第２カード５は，以下に説明するように，バッテリー３に第２カード用カード挿入口３１を覆うカバー３Ａが形成されていない場合，携帯電話機２からバッテリー３を分離しなくとも，直接携帯電話機２の側面２Ｂ側に設けられたカード挿入口３１に対して挿入または取出しすることができ，第２カード装着スロット３０に着脱させることができる。
【００３３】
第２カード５としては，例えば，メモリスティックまたはミニＳＤカードを使用することができる。これらのカードは，相対的にサイズが小さい。したがって，メモリスティックまたはミニＳＤカードを適用するカード装着ソケット１の場合には，第２カード５が占有する面積が小さい。このため，図５に示すように，第１カード用カード挿入口２１と第２カード用カード挿入口３１とを対向させて形成し，第１カード４と第２カード５を携帯電話機２の横方向に装着することができる。
【００３４】
一方，第２カード５として，ＳＤカードを適用する場合，ＳＤカードは相対的にそのサイズが大きい。このため，第１カード４と第２カード５を携帯電話機２の横方向に装着することは，携帯電話機の幅に制限があるため，第１カード４を装着するには空間的に制約がある。この場合，第２カード５としてＳＤカードを適用するカード装着ソケット１の場合には，図６に示すように，第１カード用カード挿入口２１と第２カード用カード挿入口３１とを互いに直交する位置に形成するのがよい。すなわち，第１カード４（例えば，スマートカード）は，例えば図６紙面上において上下方向に装着させ，第２カード５（例えば，ＳＤカード）は，例えば図６紙面上において横方向に装着させるようにすることができる。
【００３５】
以上説明したように，本実施形態にかかるカード装着ソケット１によれば，板状のソケットハウジング１０に，表面側には第１カード装着スロット２０を，裏面側には第２カード装着スロット３０を積層させて形成される。これにより，携帯電話機２に例えば約３．６ｍｍ〜４．０ｍｍ程の深さに形成される空間に，２つのカード４，５を十分受容することができる。
【００３６】
また，２つのカード４，５を装着する際，第１カード４は，バッテリーを分離した状態でのみ装着および離脱可能にすると共に，第２カード５は，携帯電話機２の側面２Ｂで直接装着および離脱可能にする。これにより，第１カード４を安全に携帯することができ，既存の携帯電話機の設計環境にも適合させることができる。
【００３７】
また，第２カードの例であるメモリーカードのサイズによって第１カードの例であるスマートカードの挿入方向を異にすることで携帯電話機の制限された空間を最大限活用している。
【００３８】
第２カード装着スロット３０は，そのカード挿入口３１が携帯電話機２の側面２Ｂ側に露出されている。このため，装着された第２カード５が離脱して紛失したり，例えば埃などの異質物が流入することがある。
【００３９】
このような第２カード５の紛失やカード挿入口３１の汚染を防止するために，図４に示すように，携帯電話機２のバッテリー３に，第２カード装着スロット３０のカード挿入口３１に対応する位置に，カバー３Ａを形成することができる。カバー３Ａによって，バッテリー３を携帯電話機２に装着すると，カバー３Ａにより第２カード装着スロット３０のカード挿入口３１が閉鎖される。これにより，第２カード５が離脱して紛失したり，異物質が流入することを防止できる。
【００４０】
以上，第１の実施形態にかかる携帯電話機のカード装着ソケットについて説明した。かかる構成により，制限された空間が効率的に利用され，２種類のカードを装着することができる。さらに，２種類のカードを挿着することに伴う携帯電話機のサイズ増加と製造コスト上昇を最小化することもできる。また，バッテリー３に形成したカバー３Ａにより，第２カード装着スロット３０に装着された第２カード５の紛失やカード挿入口３１への異物の流入を防止することができる。
【００４１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４２】
例えば，上記実施形態では，２つの種類のカードを装着させたが，本発明はかかる例に限定されず，同一種類のカードを複数装着させてもよい。
【産業上の利用可能性】
【００４３】
本発明は，携帯電話機に適用可能であり，特に，携帯電話機のカード装着ソケットに適用可能である。
【図面の簡単な説明】
【００４４】
【図１】本発明の第１の実施形態にかかるカード装着ソケットの分解斜視図である。
【図２】本発明の第１の実施形態にかかるカード装着ソケットの斜視図である。
【図３】本発明の第１の実施形態にかかるカード装着ソケットの概略側面図である。
【図４】本発明の第１の実施形態にかかるカード装着ソケットが装着された携帯電話機の概略図である。
【図５】本発明の第１の実施形態にかかるカード装着ソケットの使用例を示す概略図である。
【図６】本発明の第１の実施形態にかかるカード装着ソケットの他の使用例を示す概略図である。
【図７】従来のスマートカード装着ソケットを備える携帯電話機の斜視図である。
【符号の説明】
【００４５】
１        カード装着ソケット
２        携帯電話機
３        バッテリー
４        第１カード
５        第２カード
１０      ソケットハウジング
２０      第１カード装着スロット
２１      第１カード挿入口
３０      第２カード装着スロット
３１      第２カード挿入口
【図１】
2007013601.tif 000003
【図２】
2007013601.tif 000004
【図３】
2007013601.tif 000005
【図４】
2007013601.tif 000006
【図５】
2007013601.tif 000007
【図６】
2007013601.tif 000008
【図７】
2007013601.tif 000009